(57)【特許請求の範囲】
【請求項１】
シャーシケース内でディスクトレイを前進後退させて記録媒体とともにロード／アンロードを行うディスク装置であって、
前記ディスクトレイが、
可動片の吸着及び該吸着の解除を行う自己保持型ソレノイドと、
押圧されることで前記可動片を移動させて前記自己保持型ソレノイドに吸着させるアームレバーと、
前記ディスクトレイがロードされたときに前記シャーシケースに設けられたロックピンと係合して前記ディスクトレイをロード状態にロックするべく設けられ、前記自己保持型ソレノイドによる前記可動片の吸着及び解除動作に連動して、前記ロックピンと係合する方向及び該係合を解除する方向に移動するロックレバーと、を有し、
前記前進後退方向にスライド可能に前記ディスクトレイの側壁に沿って設けられ、前記ディスクトレイがロードされたときに、後端が前記シャーシケースの後端内壁に当接して該ディスクトレイに対し相対的に前進し、先端で前記アームレバーを押圧する長尺状の起動レバーを備えたことを特徴とするディスク装置。
【請求項２】
前記起動レバーは、前記ディスクトレイとの間に張設され、該起動レバーが前記ディスクトレイに対し相対的に前進することによりバネ力が蓄圧される引張コイルバネを備え、
前記ディスクトレイのロックが解除されたとき、蓄圧された前記バネ力が開放され、該ディスクトレイをポップアウトすることを特徴とする請求項１記載のディスク装置。
【発明の詳細な説明】
【０００１】
【発明の属する技術分野】
本発明は、各種コンピュータシステムなどにおいて大量の情報を記録する記録媒体としての光ディスク（例えば、ＣＤ−Ｒ／ＲＷ、ＤＶＤ−Ｒ／ＲＷなど）をドライブするディスク装置に関するものである。
【０００２】
【従来の技術】
一般に、パーソナルコンピュータ（以下、パソコンという）は、光ディスクへ情報の記録再生を行うため、ディスク装置を欠かすことができず、パソコン本体に内蔵するか、いわゆる外付けとしてケーブルで接続するようにしている。
【０００３】
図７はディスク装置を内蔵したノート型パソコンの外観を示すもので、通常、ディスク装置Ｄはパソコン本体Ｐの側部に内蔵され、スイッチ操作あるいはパソコンからの指令によりディスクトレイ１０１のベゼル１０２の部分がポップアウトし、さらにパソコンの使用者がディスクトレイ１０１を引き出して光ディスクを装填するようにしている。
【０００４】
したがって、通常、ディスク装置にはディスクトレイのイジェクト／ロック機構を備えるもので、本願出願人による提案の一例を図８に示す。同図のイジェクト／ロック機構１０３はロックレバー１０４および自己保持型ソレノイド１０５を主体に構成したもので、シャーシケース１０６の底板に植設されたロックピン１０７がロックレバー１０４と係合してディスクトレイ１０１がロックされるようにしたものである。
【０００５】
【発明が解決しようとする課題】
ところで、特に近年のノート型パソコンは薄型化が進行し、多くの半導体集積回路などの電子部品を備えたプリント配線基板（以下、配線基板という）をディスクトレイに実装する傾向にあり、その実装密度が高くなってきたことから、ディスクトレイ内における配線基板の実装有効面積の拡大が重要な課題となっている。
【０００６】
しかしながら、上記従来のディスク装置における場合は、ロックピン１０７がディスクトレイ１０１の進入路上にあるため、このロックピン１０７より外側に配線基板を拡張することができず、したがって、配線基板の実装有効面積を拡張することができなかった。
【０００７】
本発明は、かかる従来の問題に鑑みなされたもので、ロックピンをディスクトレイの最も外側に配置できるようにしたディスク装置を提供するもので、これにより、配線基板の実装有効面積を最大限に拡張できるようにしたものである。
【０００８】
【課題を解決するための手段】
そこで本発明は、以下に述べる各手段により上記課題を解決するようにした。即ち、請求項１記載の発明では、シャーシケース内でディスクトレイを前進後退させて記録媒体とともにロード／アンロードを行うディスク装置であって、前記ディスクトレイが、可動片の吸着及び該吸着の解除を行う自己保持型ソレノイドと、押圧されることで前記可動片を移動させて前記自己保持型ソレノイドに吸着させるアームレバーと、前記ディスクトレイがロードされたときに前記シャーシケースに設けられたロックピンと係合して前記ディスクトレイをロード状態にロックするべく設けられ、前記自己保持型ソレノイドによる前記可動片の吸着及び解除動作に連動して、前記ロックピンと係合する方向及び該係合を解除する方向に移動するロックレバーと、を有し、前記前進後退方向にスライド可能に前記ディスクトレイの側壁に沿って設けられ、前記ディスクトレイがロードされたとき、後端が前記シャーシケースの後端内壁に当接して該ディスクトレイに対し相対的に前進し、先端で前記アームレバーを押圧する長尺状の起動レバーを備えるようにした。
【０００９】
請求項２記載の発明では、上記請求項１記載の発明において、前記起動レバーは、前記ディスクトレイとの間に張設され、該起動レバーが前記ディスクトレイに対し相対的に前進することによりバネ力が蓄圧される引張コイルバネを備え、前記ディスクトレイのロックが解除されたとき、蓄圧された前記バネ力が開放され、該ディスクトレイをポップアウトするようにした。
【００１０】
【発明の実施の形態】
以下、本発明の実施の形態を図にもとづいて詳細に説明する。図１は本発明を実施するディスク装置Ｄの外観を示す図であり、同図において符号１はディスクトレイを示し、中央部に光ディスクを回転駆動するターンテーブル２が配置されている。そして、ディスクトレイ１にはスリット１ａが形成されており、該スリット内で光ピックアップユニット３が半径方向に移動し、光ディスクへの情報の記録再生を行うようにしている。ディスクトレイ１の前面にはベゼル４が取り付けられており、手動操作でディスクトレイ１を駆動するためのスイッチの押釦５が露呈している。このように構成されたディスクトレイは、ガイドレール６に支持、案内され、シャーシケース７へロードまたはアンロードされる。
【００１１】
図２はディスクトレイ１の底面からシールドカバーを取り外した状態を示すもので、中央に光ディスクおよび光ピックアップの駆動系ユニットＢが配置され、その後部側に半導体回路素子などの電子部品が実装された配線基板Ｐが配置されている。そして、ディスクトレイ１の前端角隅部にはイジェクト／ロック機構Ａが配設される。
【００１２】
図３はイジェクト／ロック機構Ａの構成を具体的に示す図であり、同図において符号８は揺動可能に軸支されたロックレバーであり、該ロックレバーの先端８ａは、図１に示すごとくシャーシーケース７に固定されたロックピン７ａと係合するため、鈎形の形状を呈している。また、ロックレバー８の後端８ｂは捻りコイルバネ９により反時計回り方向に付勢されており、作動レバー１０の端部と接触している。
【００１３】
前記作動レバー１０は、全体が揺動可能となるようにディスクトレイ１から起立成形されたネジ受けボス１１にその先端を軸支されている。そして、ディスクトレイ１から起立成形された掛止ボス１２と作動レバー１０に形成したフック１０ｂとの間に引張コイルバネ１３を張設してこの作動レバー１０を常時時計回り方向に付勢するが、前記掛止ボス１２と当接して停止している。
【００１４】
作動レバー１０の前記ネジ受けボス１１への軸挿部には係止壁１０ａ−１、１０ａ−２で確定された凹段部１０ａが形成されており、この凹段部に係合する凸段部１４ａならびにアームレバー１４ｂを一体的に備えたカップリングカム部材１４がネジ受けボス１１に軸挿されている。したがって、前記凸段部１４ａは凹段部１０ａ内で揺動可能となる。なお、このカップリングカム部材１４は、外周面に形成された掛止部１４ｃと作動レバー１０のフック１０ｃとの間に張設した引張コイルバネ１５により常時反時計回り方向に付勢されているが、凸段部１４ａが係止壁１０ａ−１と接触した位置が回転停止位置となる。
【００１５】
つぎに、符号１６はロックおよびイジェクトの駆動源となる自己保持型ソレノイドであり、一対のヨーク１６ａ・１６ｂの先端が励磁コイル１６ｃ・１６ｄの一端からほぼ中位まで挿入され固定されている。そして、前記ヨーク１６ａ・１６ｂの端部には永久磁石１６ｅが介装されており、これにより馬蹄形の磁気回路が形成されている。一方、励磁コイル１６ｃ・１６ｄの他端には磁性体である可動片１６ｆの開放端部が摺動可能に挿入されている。
【００１６】
このため、定常状態では、前記永久磁石１６ｅにより形成された磁気回路の磁力に前記可動片１６ｆが吸引されている状態で保持されている。そして、励磁コイル１６ｃ・１６ｄの端子から永久磁石により発生している磁場とは逆の磁場が発生するように直流電流を印加することにより、前記永久磁石１６ｅにより発生している磁場が打ち消され、可動片１６ｆの拘束が解除される。この可動片１６ｆは作動レバー１０のピン１０ｄに連結されているため、前記ロックレバー８および作動レバー１０と同期して連動する。なお、この自己保持型ソレノイド１６はネジ１７によりディスクトレイ１に固定されている。
【００１７】
つぎに、イジェクト状態にある前記イジェクト／ロック機構をロック状態に遷移させるための長尺状の起動レバー１８は、図２に示すごとくディスクトレイ１の側壁に沿って設けられ、ディスクトレイ１に形成されたアングル１ａに支持されてスライドする。図４はこの起動レバー１８の構成を具体的に示したもので、作用端となる先端１８ａは折曲されており、平坦面１８ａ−１と傾斜面１８ａ−２が形成されている。後端１８ｂには切起片が形成されており、この切起片１８ｂがシャーシケース７の後端内壁に当接して起動レバー１８全体が前進する。
【００１８】
前記起動レバー１８にはそのフック１８ｃとディスクトレイ１に固定されたフック１９との間に引張コイルバネ２０が張設してあるので、ディスクトレイ１がロック状態となり起動レバー１８が前進しているとき、この引張コイルバネ２０のバネ力が蓄圧され、起動レバー全体が後方へ付勢される。したがって、後端１８ｂがシャーシケース７の内壁に当接している間はディスクトレイ１が常に前方へ付勢されることになる。そして、この付勢力により起動レバー１８がスライドする範囲は、その後端部に形成された長孔１８ｄで確定される。なお、符号２１はシャーシーケース７へのアースリードとなる接触子である。
【００１９】
つぎに、本発明によるイジェクト／ロック機構の動作態様を図５乃至図６にもとづいて説明する。
【００２０】
図５はロック状態に至る過程を示すもので、図５（Ａ）はイジェクトされている初期状態を示す。この状態は自己保持型ソレノイド１６の可動片１６ｆがヨーク１６ａ・１６ｂから大きく離間して磁力により吸引されていないので、引張コイルバネ１３のバネ力により作動レバー１０は時計回り方向に付勢されて同図に示す位置で静止している。
【００２１】
この状態からディスクトレイ１を押し込んでゆくと、起動レバー１８の先端１８ａの平坦面１８ａ−１が図５（Ｂ）に示すごとくカップリングカム部材１４のアームレバー１４ｂに当接して押し下げる。するとこのとき、カップリングカム部材１４の凸段部１４ａが作動レバー１０の凹段部１０ａの係止壁１０ａ−１と接触しているので、該作動レバー１０が反時計回り方向に回転し、自己保持型ソレノイド１６の可動片１６ｆが押し込まれ、ヨーク１６ａ・１６ｂの磁力に吸引されて保持される。
【００２２】
このとき、作動レバー１０が反時計回り方向に回転するに従い、ロックレバー８も捻りコイルバネ９のバネ力によって反時計回り方向に回転し、該ロックレバー８の先端８ａの傾斜面とシャーシケース７のロックピン７ａが接触する。そして、さらにディスクトレイ１が押し込まれると、図５（Ｃ）に示すごとく起動レバー１８がアームレバー１４ｂの先端を乗り越え、ロックピン７ａはロックレバーの先端８ａの頂部に至る。この状態からさらにディスクトレイ１が押し込まれると、図５（Ｄ）に示すごとくロックレバー８が反時計回り方向に反転してロックピン７ａと係合し、ディスクトレイ１がロックされる。
【００２３】
つぎに、ディスクトレイのアンロードのためにイジェクト／ロック機構Ａによるロックの解除、即ち、イジェクトを行うためには、まず、使用者がベゼル４のスイッチの押釦５を操作するかパソコン本体からの指示により自己保持型ソレノイド１６に直流電流が印加される。このとき、イジェクト／ロック機構Ａは図５（Ｄ）のロック状態にある。そして、直流電流が印加されると励磁コイル１６ｃ・１６ｄにより励磁された磁場が永久磁石１６ｅにより発生している磁場を打ち消し、可動片１６ｆの拘束が解除される。
【００２４】
この状態に至ると、図６（Ａ）に示すごとく引張コイルバネ１３の作用により作動レバー１０が時計回り方向に回転し、これに従動してロックレバー８が時計回り方向に回転する。これにより、同図に示すごとくロックピン７ａがロックレバー８の先端８ａから解除、即ち、イジェクト状態となり、同時に起動レバー１８に張設されている引張コイルバネ２０に蓄圧されたバネ力が開放し、図６（Ｂ）に示すごとくディスクトレイ１がポップアウトを始める。
【００２５】
このとき、ディスクトレイ１の前進に伴い、起動レバー１８はディスクトレイに対して相対的に後退し、その先端１８ａがカップリングカム部材１４のアームレバー１４ｂに接触するが、該アームレバーは傾斜面１８ａ−２により同図に示すように押し上げられて揺動するので、起動レバー１８の退路の邪魔となることがない。このようにしてディスクトレイ１はポップアウトの終了位置、即ち、図５（Ａ）の状態となり、イジェクトを完了する。
【００２６】
以上から明らかなように、本発明の構成によれば、起動レバー１８がイジェクト／ロック機構Ａをロック状態へ遷移する機能と、このロック状態へ遷移する過程で起動レバー１８の引張コイルバネ２０に蓄圧されたバネ力によりディスクトレイ１のポップアウトが可能となる機能とを同時に起動レバー１８が備えるようにしたので、少ない部品点数で簡素な構成とすることができた。
【００２７】
【発明の効果】
以上、詳細に説明したごとく本発明によれば、イジェクト／ロック機構をロック状態へ遷移させるための起動レバーをディスクトレイの側壁に沿って設けたので、ロックピンをシャーシーケースの最も外側に配置することができる。これにより配線基板の実装有効面積を拡大することができ、ディスク装置の高密度化を向上することができるなど、多大の効果を奏するものである。
【図面の簡単な説明】
【図１】本発明を実施するディスク装置の外観を示す斜視図である。
【図２】図１のディスク装置の底面の構成を示す平面図である。
【図３】本発明のイジェクト／ロック機構の構成を示す斜視図である。
【図４】図３のイジェクト／ロック機構をロック状態へ遷移させるための起動レバーの斜視図である。
【図５】本発明のイジェクト／ロック機構がロック状態に至る過程を示す工程図である。
【図６】本発明のイジェクト／ロック機構がイジェクト状態に至る過程を示す工程図である。
【図７】ノート型パソコンの外観を示す斜視図である。
【図８】従来のイジェクト／ロック機構の例を示す平面図である。
【符号の説明】
Ａ・・・・・・イジェクト／ロック機構
１・・・・・・ディスクトレイ
２・・・・・・ターンテーブル
３・・・・・・光ピックアップユニット
６・・・・・・ガイドレール
７・・・・・・シャーシケース
７ａ・・・・・ロックピン
８・・・・・・ロックレバー
１０・・・・・作動レバー
１４・・・・・カップリングカム部材
１６・・・・・自己保持型ソレノイド
１８・・・・・起動レバー
２０・・・・・引張コイルバネ
【図１】
0003867609.tif 000002
【図２】
0003867609.tif 000003
【図３】
0003867609.tif 000004
【図４】
0003867609.tif 000005
【図５】
0003867609.tif 000006
【図６】
0003867609.tif 000007
【図７】
0003867609.tif 000008
【図８】
0003867609.tif 000009